(57)【特許請求の範囲】
【請求項１】
ぜんまいと、
このぜんまいにエネルギを蓄積するための巻き上げ輪列と、
前記ぜんまいの巻き戻り時の回転が伝達される巻き戻り輪列と、
前記ぜんまいの残量を表示するパワーリザーブ針と、
このパワーリザーブ針が固定されるとともに、前記巻き上げ輪列および前記巻き戻り輪列に接続されるパワーリザーブ針車と、
前記パワーリザーブ針車とこのパワーリザーブ針車に噛合される歯車との間に生じるバックラッシュを一方向に規制するバックラッシュ規制手段とを備え、
前記バックラッシュ規制手段は、前記パワーリザーブ針車を、前記ぜんまいが巻き戻る際および前記ぜんまいを巻き上げる際の双方において前記パワーリザーブ針のパワー表示量が小さくなる方向に付勢する構成とされている
ことを特徴とするぜんまい残量表示機構。
【請求項２】
請求項１に記載のぜんまい残量表示機構において、
前記バックラッシュ規制手段は、前記パワーリザーブ針車に噛合する歯状部を有するパワーリザーブ制動手段と、
このパワーリザーブ制動手段を付勢する付勢手段とを備えて構成されている
ことを特徴とするぜんまい残量表示機構。
【請求項３】
請求項１または請求項２に記載のぜんまい残量表示機構を備えたことを特徴とする時計。
【発明の詳細な説明】
【技術分野】
【０００１】
本発明は、ぜんまいの巻き上げ量の残量を表示するぜんまい残量表示機構およびこのぜんまい残量表示機構を備えた時計に関する。
【背景技術】
【０００２】
従来より、例えば時計等に使用されるぜんまいの巻き上げ量の残量を表示するパワーリザーブ機構としては、ぜんまいの角穴車および香箱歯車にそれぞれ輪列を接続し、ぜんまいの巻き上げ量および巻き戻し量をそれぞれ伝達してパワーリザーブ針で表示するものが知られている（例えば、特許文献１参照）。このパワーリザーブ機構は、ぜんまいの角穴車に接続された巻き上げ輪列と、ぜんまいの香箱歯車に接続された巻き戻し輪列とを備え、パワーリザーブ針がこれらの巻き上げ輪列および巻き戻し輪列に接続されている。ぜんまいを巻き上げると巻き上げ輪列が回転し、この回転運動がパワーリザーブ針に伝達されて、当該パワーリザーブ針が回動する。また、時計が使用されると、ぜんまいが巻き戻り、この回転運動が巻き戻り輪列を介してパワーリザーブ針に伝達され、当該パワーリザーブ針がぜんまいを巻き上げた場合とは反対向きに回動する。これにより、パワーリザーブ針がぜんまいの巻き上げ、巻き戻りの動作に連動して回動し、ぜんまいの巻き上げ残量を表示する。
【０００３】
【特許文献１】特開２０００−２７７３号公報
【発明の開示】
【発明が解決しようとする課題】
【０００４】
しかしながら、このようなパワーリザーブ機構では、ぜんまいの角穴車および香箱歯車からパワーリザーブ針までの間に輪列が設けられており、輪列を構成する各歯車がバックラッシュを有する。このため、ぜんまいが巻きほどける時と、ぜんまいを巻き上げる時とでは、パワーリザーブ針の回動位置がこのバックラッシュ分だけずれて指針位置の誤差が生じ、パワーリザーブ針の指針精度が悪くなるという問題がある。
【０００５】
本発明の目的は、正確なぜんまい残量を表示できるぜんまい残量表示機構および時計を提供することにある。
【課題を解決するための手段】
【０００６】
本発明のぜんまい残量表示機構は、ぜんまいと、このぜんまいにエネルギを蓄積するための巻き上げ輪列と、前記ぜんまいの巻き戻り時の回転が伝達される巻き戻り輪列と、前記ぜんまいの残量を表示するパワーリザーブ針と、このパワーリザーブ針が固定されるとともに、前記巻き上げ輪列および前記巻き戻り輪列に接続されるパワーリザーブ針車と、前記パワーリザーブ針車とこのパワーリザーブ針車に噛合される歯車との間に生じるバックラッシュを一方向に規制するバックラッシュ規制手段とを備え、前記バックラッシュ規制手段は、前記パワーリザーブ針車を、前記ぜんまいが巻き戻る際および前記ぜんまいを巻き上げる際の双方において前記パワーリザーブ針のパワー表示量が小さくなる方向に付勢する構成とされていることを特徴とする。
この発明によれば、バックラッシュ規制手段が、歯車のバックラッシュを一方向に規制するので、ぜんまいを巻き上げる時およびぜんまいが巻き戻る時のいずれの場合においても、歯車のバックラッシュが常に所定の方向に規制される。したがって、パワーリザーブ針が両方向に回動しても、バックラッシュによるパワーリザーブ針の指針位置のずれが防止され、常に正確なぜんまい残量が表示される。
ここで、パワーリザーブ針が巻き上げ輪列および巻き戻り輪列に接続する場合とは、パワーリザーブ針車が直接巻き上げ輪列および巻き戻り輪列に噛合されている場合はもちろん、巻き上げ輪列および巻き戻し輪列に、別の輪列などの伝達機構を介して間接的に接続されている場合も含まれる。
また、本発明では、バックラッシュ規制手段は、パワーリザーブ針車を、ぜんまいが巻き戻る際およびぜんまいを巻き上げる際の双方においてパワーリザーブ針のパワー表示量が小さくなる方向に付勢する構成とされている。
このことにより、バックラッシュ規制手段は、パワーリザーブ針車は、常にぜんまいが巻き戻る際の状態で巻き上げ輪列および巻き戻り輪列に接続される。ぜんまい残量表示機構は、通常巻き上げ動作よりも巻き戻り動作の方がより長時間使用されるが、パワーリザーブ針車が、ぜんまいが巻き戻る方向の動作にならって規制されているので、パワーリザーブ針車およびパワーリザーブ針の動作がより安定する。
【０００７】
本発明では、バックラッシュ規制手段は、パワーリザーブ針車に噛合する歯状部を有するパワーリザーブ制動手段と、このパワーリザーブ制動手段を付勢する付勢手段とを備えて構成されていることが望ましい。
この発明によれば、バックラッシュ規制手段がパワーリザーブ制動手段と付勢手段とを備えて構成されているので、付勢手段によりパワーリザーブ制動手段を介してパワーリザーブ針車が一方向に付勢される。したがって、簡単な構造でバックラッシュが一方向に規制される。
また、バックラッシュ規制手段のパワーリザーブ制動手段が、パワーリザーブ針車に直接接続されているので、パワーリザーブ針が固定された歯車であるパワーリザーブ針車のバックラッシュが直接規制されることにより、パワーリザーブ針の表示ずれの防止がより確実となる。
【０００９】
本発明の時計は、前述のぜんまい残量表示機構を備えたことを特徴とする。
この発明によれば、時計が前述のぜんまい残量表示機構を備えているので、前述のぜんまい残量表示機構の効果と同様の効果が得られ、歯車のバックラッシュによるパワーリザーブ針の表示ずれが防止され、ぜんまい残量が正確に表示される。
【発明の効果】
【００１０】
本発明のぜんまい残量表示機構および時計によれば、歯車のバックラッシュが一方向に規制されるので、パワーリザーブ針がどちらの方向に回動する場合でも、バックラッシュによるパワーリザーブ針の指針位置の誤差が除去でき、正確なぜんまい残量を表示できるという効果がある。
【発明を実施するための最良の形態】
【００１１】
以下、本発明の一実施形態を図面に基づいて説明する。
図１には、本発明の一実施形態にかかる時計１の概略平面図が示されている。この図１において、時計１は、ぜんまい１０と、ぜんまい１０による機械的エネルギで駆動される指針２０と、ぜんまい１０の機械的エネルギの残量を表示するぜんまい残量表示機構３０とを備えている。
【００１２】
ぜんまい１０は、香箱１１に収納されており、このぜんまい１０の外端は、時計１が手巻き時計の場合には、香箱１１の外周に形成された香箱歯車１２に固定されており、また時計１が自動巻時計の場合には、香箱１１の内周に当接され、所定値以上のトルクが付加されるとぜんまい１０が香箱１１内周に対して滑るように構成されている。また、ぜんまい１０の内端は、香箱１１の中心に設けられた香箱真１３に固定されており、香箱真１３は、角穴車と一体的に回転可能な香箱真かな１４とともに、一体的に回転可能となっている。香箱真かな１４は、図示しない巻き上げ部に接続されており、巻き上げ部の一部である竜頭を回転させると、香箱真かな１４が回転し、ぜんまい１０が巻き上げられるようになっている。
指針２０は、図示しない駆動手段を介してぜんまい１０に接続されており、ぜんまい１０が巻きほどける動作によって生じる機械的エネルギで駆動され、図示しない文字板上の所定位置を指し示すことにより、現在時刻を表示する。
【００１３】
図２には、ぜんまい残量表示機構３０の部分拡大図が示されている。また図３には、ぜんまい残量表示機構３０の一部側断面図が示されている。これらの図２および図３に示されるように、ぜんまい残量表示機構３０は、巻き上げ輪列４０と、巻き戻り輪列５０と、パワーリザーブ表示輪列６０と、パワーリザーブ針７０と、バックラッシュ規制手段８０とを備えている。
巻き上げ輪列４０は、香箱真かな１４に噛合される第一遊星伝え車４１と、この第一遊星伝え車４１に噛合する第二遊星伝え車４２と、第二遊星伝え車４２に噛合する第三遊星伝え車４３と、第三遊星伝え車４３に噛合する第二太陽車４４と、第二太陽車４４に噛合する第一の遊星車４５Ａおよびこの第一の遊星車４５Ａと一体とされた第二の遊星車４５Ｂを有する遊星車４５と、第二太陽車４４と同軸上に配置され、遊星車４５を遊星回転可能に固定する遊星中間車４６と、第二の遊星車４５Ｂに噛合する太陽車４７とを備えている。
一方、巻き戻り輪列５０は、太陽車４７と、遊星車４５と、遊星中間車４６と、遊星中間車４６に噛合する第五遊星伝え車５１と、第五遊星伝え車５１に噛合する第四遊星伝え車５２とを備えて構成される。第四遊星伝え車５２は、香箱歯車１２に噛合されている。
【００１４】
パワーリザーブ表示輪列６０は、太陽車４７に噛合する円弧歯車６１と、円弧歯車６１に噛合するとともに、パワーリザーブ針７０が固定されるパワーリザーブ針車６２とを備えて構成される。円弧歯車６１は、中心軸６１Ａを中心とする仮想円上の二箇所に部分的に円弧状に複数の歯が形成されており、一方が太陽車４７に噛合され、他方がパワーリザーブ針車６２に噛合されている。このような円弧歯車６１によれば、太陽車４７の回転運動が円弧歯車６１を介してパワーリザーブ針車６２に伝達されることにより、パワーリザーブ針７０のレイアウトの自由度を高めることができる。
【００１５】
このような巻き上げ輪列４０、巻き戻り輪列５０、およびパワーリザーブ表示輪列６０によれば、ぜんまい１０の巻上げ操作で香箱真かな１４が回転されると、そのトルクは第一遊星伝え車４１から順次減速して第二遊星伝え車４２、第三遊星伝え車４３、第二太陽車４４、遊星車４５、および太陽車４７に伝達されるようになっている。ここで、ぜんまい１０の巻上げ時には香箱歯車１２は回転が遅くほぼ停止状態の為、遊星中間車４６から第四遊星伝え車５２までは固定状態とされ、遊星車４５はその場で回転して太陽車４７を回転させる。太陽車４７に伝達されたトルクは円弧歯車６１、およびパワーリザーブ針車６２に伝達され、パワーリザーブ針７０が回動するようになっている。
【００１６】
また、ぜんまい１０が巻戻る時には、香箱真かな１４が停止しているために、第一遊星伝え車４１から第二太陽車４４までは停止している。そして、香箱歯車１２が回転されると、そのトルクは第四遊星伝え車５２から順次減速して第五遊星伝え車５１、および遊星中間車４６に伝達される。この際、第二の遊星車４５Ｂが噛合している第二太陽車４４が停止しているため、遊星車４５は第二太陽車４４の回りを自転しながら公転する。これにより、遊星車４５Ａに噛合している太陽車４７がぜんまい１０の巻上げ操作時とは逆方向に回転する。この太陽車４７に伝達されたトルクは、円弧歯車６１、およびパワーリザーブ針車６２に伝達され、パワーリザーブ針７０が巻き上げ操作時とは逆方向に回動するようになっている。
【００１７】
なお、本実施形態では、香箱歯車１２（香箱真かな１４）から太陽車４７まで減速比は１／２７に設定されており、ぜんまい１０の巻数が「７．５」の場合（回転角は３６０°×７．５＝２７００°）、太陽車４７つまりパワーリザーブ針７０は１００°回動するように設定されている。ここで、これらの減速比およびパワーリザーブ針７０の作動角の設定は、時計１の大きさや、仕様などによって適宜設定されればよく、パワーリザーブ針７０の作動角は９０°〜２００°に設定されることが望ましい。
なお、太陽車４７には、香箱真かな１４が回転するとぜんまい１０の巻上げ量に対応したトルクが伝達されて所定方向の回転として加算され、ぜんまい１０が巻き戻されて香箱歯車１２が回転するとぜんまい１０の巻戻し量に対応したトルクが伝達されて反対方向の回転として減算される。したがって、太陽車４７により加減算用車が構成されている。
【００１８】
バックラッシュ規制手段８０は、パワーリザーブ制動手段としてのパワーリザーブ制動車８１と、パワーリザーブ制動車８１を一方向に付勢する押さえ板８２とを備えている。
パワーリザーブ制動車８１は、変形形状に形成され、パワーリザーブ針車６２に噛合する歯が形成される歯状部８１Ａと、押さえ板８２が当接される当接部８１Ｂとが形成されている。歯状部８１Ａは、パワーリザーブ針７０の回動可能角度に応じた中心角を有する円弧状部分に形成され、本実施形態では、パワーリザーブ針７０が１００°回動する範囲で歯状部８１Ａがパワーリザーブ針車６２に噛合可能なように歯状部８１Ａが形成されている。当接部８１Ｂは、歯状部８１Ａに対してぜんまい１０が巻き上がる方向、つまりパワーリザーブ制動車８１の時計回り方向上流側（図２において歯状部８１Ａより右側）に配置されている。当接部８１Ｂは、歯状部８１Ａの円弧中央に対して約９０°の角度を有して設けられている。
【００１９】
押さえ板８２は、板状部材で構成されるガイド部８２Ａと、このガイド部８２Ａに一体的に形成される付勢手段としての板ばね部８２Ｂとを備えている。ガイド部８２Ａは、図２に示されるように時計１の平面視（図２の状態、図２の紙面に直交する方向から見た状態）でパワーリザーブ針車６２や円弧歯車６１、およびパワーリザーブ制動車８１に重なって配置され、図３の側断面図に示されるように、これらの構成部品を支持するガイド部としての機能も果たしている。
板ばね部８２Ｂは、基端側がガイド部８２Ａに連続する細長形状に形成され、ばね性を有する。このような押さえ板８２は、例えば板材をプレスなどで打ち抜き加工して内部に空間部８２Ｃを形成し、この空間部８２Ｃの一端を切断して板ばね部８２Ｂを形成すればよい。板ばね部８２Ｂの先端部は、パワーリザーブ制動車８１の当接部８１Ｂ側面に当接されている。この際、板ばね部８２Ｂは、ばね性を有するため、パワーリザーブ制動車８１は板ばね部８２Ｂの付勢力によって時計回り方向に付勢される。この板ばね部８２Ｂにより、パワーリザーブ制動車８１は、パワーリザーブ針車６２を付勢するため、パワーリザーブ針車６２と円弧歯車６１との間のバックラッシュが常に一方向、つまり時計回り方向下流側（図２中左側）に規制され、両者の歯は、ぜんまい１０が巻き戻る際に噛合される側において当接される。
なお、板ばね部８２Ｂは、図３の側断面図に示されるように、時計１の側面視でぜんまい１０に近接する方向に湾曲して当接部８１Ｂに当接されている。また、板ばね部８２Ｂの付勢力は、板ばね部８２Ｂの長さや幅、厚みなどの寸法や、形状、撓み量などを調整することにより適宜設定される。板ばね部８２Ｂの付勢力を調整することにより、パワーリザーブ針６２と円弧歯車６１との間のバックラッシュのみを規制する設定とするだけでなく、円弧歯車６１から巻き上げ輪列４０および巻き戻り輪列５０の所望の歯車の噛合箇所までバックラッシュを規制するように設定することが可能となる。
【００２０】
このような時計１は、次のように動作する。
図示しない竜頭により香箱真かな１４が回転すると、巻き上げ輪列４０が回転して太陽車４７が時計回りに回転する。太陽車４７の回転は、円弧歯車６１を介してパワーリザーブ針車６２に伝達され、パワーリザーブ針７０が時計回りに回動する。このとき、板ばね部８２Ｂがパワーリザーブ制動車８１を付勢しているので、パワーリザーブ針車６２が反時計回り方向に付勢されながら、回動する。
ぜんまい１０が巻き戻る際には、巻き戻り輪列５０が回転して太陽車４７が反時計回りに回転する。太陽車４７の回転は、円弧歯車６１を介してパワーリザーブ針車６２に伝達され、パワーリザーブ針７０が反時計回りに回動する。この場合でも、やはり、板ばね部８２Ｂがパワーリザーブ制動車８１を介してパワーリザーブ針車６２を反時計回り方向に付勢しているので、パワーリザーブ針車６２は当該方向に付勢されながら回動する。
【００２１】
このような本実施形態によれば、次のような効果が得られる。
(１) バックラッシュ規制手段８０が設けられているので、ぜんまい１０が巻き上がる場合および巻き戻る場合の両方において、パワーリザーブ針車６２と円弧歯車６１との間のバックラッシュを常に一方向に規制できる。このため、パワーリザーブ針車６２がどちらの方向に回動した場合にも、バックラッシュによるパワーリザーブ針の表示のずれを除去でき、パワーリザーブ針７０が常に正確にぜんまい残量を表示できる。
また、パワーリザーブ針車６２が常に円弧歯車６１に対して一方向に付勢されているので、パワーリザーブ針車６２と円弧歯車６１との間のがたを除去できるから、ぜんまい残量表示機構３０の耐衝撃性を向上させることができる。
【００２２】
(２) バックラッシュ規制手段８０が、パワーリザーブ制動車８１と押さえ板８２とを備えて構成され、ばね部８２Ｂがパワーリザーブ制動車８１の当接部８１Ｂに当接されてパワーリザーブ制動車８１を所定の付勢力で付勢するので、簡単な構造でバックラッシュを一方向に規制できる。また、ガイド部８２Ａと板ばね部８２Ｂとが一体的に形成されているので、板ばね部８２Ｂのガイド部８２Ａへの固定構造などが不要となるため、これによってもバックラッシュ規制手段８０の構造を簡単にできる。
さらに、歯状部８１Ａが複数の歯を有し、パワーリザーブ針車６２と噛合することによってパワーリザーブ針車６２を付勢するので、パワーリザーブ針車６２の回動動作を阻害することなく、確実にパワーリザーブ針車６２を付勢できる。
【００２３】
(３) 押さえ板８２のガイド部８２Ａがパワーリザーブ針車６２、円弧歯車６１、およびパワーリザーブ制動車８１を支持するガイドとしての機能を兼ねているので、押さえ板８２を時計１の平面視でこれらの部品に重ねて配置することができ、時計１内部の省スペース化を図ることができるとともに、時計１の小型化を促進できる。
【００２４】
(４) パワーリザーブ針７０が、パワーリザーブ表示輪列６０を介して太陽車４７に接続されているので、パワーリザーブ表示輪列６０の歯車数を増減するなど、構成を調整することにより、パワーリザーブ針７０を時計１上の自由な位置に配置することができ、レイアウトの自由度を向上させることができる。また、このとき、円弧歯車６１が設けられているので、回転半径を大きくしながら、噛合が必要な部分にのみ円弧状に歯形を形成でき、省スペース化を実現しながらレイアウトの自由度を高めることができる。
【００２５】
(５) バックラッシュ規制手段８０が、パワーリザーブ針車６２を、ぜんまい１０が巻き戻る際に円弧歯車６１と噛み合う方向に付勢するので、ぜんまい１０が巻き戻る際のパワーリザーブ針７０の動きを安定させることができる。通常、ぜんまい１０が巻き戻る動作と、ぜんまい１０を巻き上げる動作とでは、ぜんまい１０が巻き戻る動作の方が長時間となるので、より時間を要する動作が安定する方向に合わせてバックラッシュを規制することにより、より安定した動作を実現できる。
【００２６】
なお、本発明は前述の実施形態に限定されるものではなく、本発明の目的を達成できる範囲での変形、改良等は本発明に含まれるものである。
バックラッシュ規制手段は、パワーリザーブ制動手段および付勢手段によるものに限らず、例えばパワーリザーブ針車の回転軸を直接回転方向に付勢する構造であってもよく、パワーリザーブ針車と、それに噛合する歯車との間のバックラッシュを一方向に規制できれば、その構造は任意に設定できる。
また、バックラッシュ規制手段は、パワーリザーブ針車をぜんまいの巻き戻り方向にならって規制するものに限らず、反対に巻き上げ方向にならって規制してもよい。要するにバックラッシュ規制手段は、歯車間に生じるバックラッシュを一方向に規制できればよく、その構成は任意である。
さらに、バックラッシュ規制手段は、パワーリザーブ針車を直接付勢するものに限らず、例えば巻き上げ輪列または巻き戻り輪列を付勢することにより、間接的にパワーリザーブ針車を付勢して、バックラッシュを一方向に規制する構成としてもよい。
【００２７】
パワーリザーブ針車は、パワーリザーブ輪列を介して間接的に巻き上げ輪列および巻き戻り輪列に接続しているものに限らず、例えば巻き上げ輪列の一部であるとともに巻き戻り輪列の一部でもある太陽車に直接固定されることにより、巻き上げ輪列および巻き戻り輪列に直接的に接続される構成となっていてもよい。
時計は、ぜんまいが設けられているものであれば任意であり、例えばぜんまいの機械的エネルギを電気エネルギに変換し、この電気エネルギによって調速する電子制御式機械時計や、ぜんまいの機械的エネルギによって指針が駆動される機械時計でもよい。
【００２８】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２９】
【図１】本発明の一実施形態にかかる時計を示す概略平面図。
【図２】図１の部分拡大図。
【図３】図２の一部側断面図。
【符号の説明】
【００３０】
１…時計、１０…ぜんまい、１２…香箱歯車、１４…香箱真かな、２０…指針、３０…ぜんまい残量表示機構、４０…巻き上げ輪列、４７…太陽車、５０…まき戻り輪列、６０…パワーリザーブ輪列、６１…円弧歯車、６２…パワーリザーブ針車、７０…パワーリザーブ針、８０…バックラッシュ規制手段、８１…パワーリザーブ制動車（パワーリザーブ制動手段）、８１Ａ…歯状部、８１Ｂ…当接部、８２…押さえ板、８２Ｂ…板ばね部（付勢手段）。
【図１】
0004622274.tif 000002
【図２】
0004622274.tif 000003
【図３】
0004622274.tif 000004